(57)【要約】      （修正有）【課題】旅行者に対して各種施設の多くの観光情報を効率的に紹介することができ、ひいては観光地の活性化に供することが可能な広告具を提供する。【解決手段】垂直に立設された支柱と、周面に複数のフック部材１４が設けられた回転体とを有し、支柱の高さ方向に沿って回転体が多段階に設けられた広告具本体１０と、所定のカテゴリごとの観光情報が表示された広告カード２０とを備える。広告具本体１０の各フック部材１４に複数の広告カード２０が掛けられ、回転体が支柱を中心して水平方向に回転することにより、回転体の各フック部材１４における広告カード２０が閲覧可能な状態で水平方向に回転する。【選択図】図１
2008089650.tif 000002
【特許請求の範囲】
【請求項１】
垂直に立設された支柱と、周面に複数のフック部材が設けられた回転体とを有し、前記支柱の高さ方向に沿って回転体が多段階に設けられた広告具本体と、
所定のカテゴリごとの観光情報等が表示された広告カードとを備え、
前記広告具本体の各フック部材に複数の前記広告カードが掛けられ、前記回転体が前記支柱を中心して水平方向に回転することにより、前記回転体の各フック部材における前記広告カードが閲覧可能な状態で水平方向に回転するものとなされていることを特徴とする広告具。
【請求項２】
前記広告カードは、メインカラー、カテゴリー、メインビジュアル、ロゴ、地図、サブビジュアル、交通アクセス、詳細情報、ディスカウント情報、およびロット番号のうちの複数の観光情報等が表示されている請求項１に記載の広告具。
【請求項３】
前記回転体は、互いに独立に回転するものとなされている請求項１または請求項２に記載の広告具。
【請求項４】
前記広告具本体は、底面にキャスターが設けられたベース部材の上面に設けられている請求項１ないし請求項３のいずれかに記載の広告具。
【請求項５】
請求項１に記載の広告具に用いられる広告具本体であって、
垂直に立設された支柱と、周面に複数のフック部材が設けられた回転体とを有し、前記支柱の高さ方向に沿って回転体が多段階に設けられるとともに、前記回転体が前記支柱を中心して水平方向に回転することにより、前記回転体の各フック部材における前記広告カードが閲覧可能な状態で水平方向に回転するものとなされていることを特徴とする広告具本体。
【発明の詳細な説明】
【技術分野】
【０００１】
本発明は、旅行者等に対して店舗、美術館、あるいは映画館などの各種施設の観光情報等を紹介するための広告具に関する。
【背景技術】
【０００２】
近年、国内外からの観光、ビジネス旅行者が増加しており、それら旅行者に向けて観光地の魅力を紹介することが重要になってきている。
【０００３】
例えば、ホテル、旅館、空港、あるいはインフォメーション等において、旅行者に対して観光地の店舗、美術館、その他各種施設などの観光情報が掲載されたチラシやパンフレットが備え付けられており、旅行者の閲覧に供されている。
【０００４】
そして、チラシやパンフレットを置くものとして、種々のものが開発されて、実用化さされている（特許文献１、２、３参照）
【０００５】
【特許文献１】特開２０００−１８７４４５号
【特許文献２】特開２００３−０２２０１４号
【特許文献３】特開２００３−１２５８６４号
【発明の開示】
【発明が解決しようとする課題】
【０００６】
しかしながら、それらチラシやパンフレットはＡ４サイズなどの大きさがあるために、取りにくかったり、持ち帰りにくかったり、あるいは携帯しにくかった。また、観光情報が多数掲載されていることが多く、かえって見にくかったり、あるいは分かりにくかったりして、必要な観光情報を効率的に紹介できていないという問題があった。
【０００７】
本発明は、上述の問題に鑑みてなされたものであって、旅行者等に対して各種施設の多くの観光情報等を効率的に紹介することができ、ひいては観光地の活性化に供することが可能な広告具の提供を課題とする。
【課題を解決するための手段】
【０００８】
本発明は、上記課題を解決するために、垂直に立設された支柱と、周面に複数のフック部材が設けられた回転体とを有し、前記支柱の高さ方向に沿って回転体が多段階に設けられた広告具本体と、所定のカテゴリごとの観光情報等が表示された広告カードとを備え、前記広告具本体の各フック部材に複数の前記広告カードが掛けられ、前記回転体が前記支柱を中心して水平方向に回転することにより、前記回転体の各フック部材における前記広告カードが閲覧可能な状態で水平方向に回転するものとなされていることを特徴とする。
【０００９】
これによれば、観光情報等が広告カードにそれぞれコンパクトに表示され、それら広告カードが回転体に掛けられるとともに、閲覧可能な状態で水平方向に回転することができる。
【００１０】
また、前記広告カードは、メインカラー、カテゴリー、メインビジュアル、ロゴ、地図、サブビジュアル、交通アクセス、詳細情報、ディスカウント情報、およびロット番号のうちの複数の観光情報等が表示されているのが好ましい。これによれば、必要最小限の観光情報が広告カードに表示されるので、旅行者に対して各種施設の多くの観光情報等をより一層効率的に紹介することができる。
【００１１】
また、前記回転体は、互いに独立に回転するものとなされているのが好ましい。これによれば、各回転体ごとに回転させることにより、広告カードが閲覧し易くなる。
【００１２】
また、前記広告具本体は、底面にキャスターが設けられたベース部材の上面に設けられていてもよい。これによれば、広告カードが人の目の高さに位置するので、広告具を何らかの台の上に載置する必要がなくなり便利である。
【００１３】
また、本発明に係る広告具本体は、垂直に立設された支柱と、周面に複数のフック部材が設けられた回転体とを有し、前記支柱の高さ方向に沿って回転体が多段階に設けられるとともに、前記回転体が前記支柱を中心して水平方向に回転することにより、前記回転体の各フック部材における前記広告カードが閲覧可能な状態で水平方向に回転するものとなされている。
【発明の効果】
【００１４】
本発明によれば、旅行者は、回転体を水平方向に回転させながら各広告カードを閲覧し、興味がある広告カードをフック部材から簡単に取ることができる。しかも、その広告カードは、各カテゴリごとに観光情報が一目で閲覧できて見やすい上に、持ち帰ったり、あるいは携帯しやすいものとなっている。このため、旅行者等に対して各種施設の多くの観光情報等を効率的に紹介することができ、ひいては観光地の活性化に供することが可能となる。
【発明を実施するための最良の形態】
【００１５】
次に本発明の一実施形態について説明する。
【００１６】
図１は、本実施形態に係る広告具（１）の斜視図である。
【００１７】
この広告具（１）は、広告具本体（１０）と、該広告具本体に設けられている複数の広告カード（２０）とからなる。
【００１８】
前記広告具本体（１０）は、図２に示すように、１本の支柱（１１）と、支柱（１１）の上端部に設けられた円柱状のサイン部材（１２）と、支柱（１１）の側面に設けられた複数の回転体（１３）とから構成される。
【００１９】
前記支柱（１１）は、直径２２ｍｍ程、高さ６００ｍｍ程ののスチール製のパイプ材に形成されている。また、支柱（１１）の下端部には、直径３９５ｍｍ程の円形薄板状の基台（１１ａ）が設けられており、該基台（１１ａ）が地面に接地することにより支柱（１１）が地面に対して垂直に立設するものとなされている。また、基台（１１ａ）の中央部にはベアリング（１１ｂ）が設けられており、前記支柱（１１）が基台（１１ａ）に対して自軸回転可能なものとなされている。
【００２０】
前記サイン部材（１２）は、直径３９５ｍｍ、高さ１００ｍｍ程のスチール製の中空円柱状に形成され、その側面には本広告具（１）の名称などが表示される。また、サイン部材（１２）の内部には、直径方向に架橋された平板（１２ａ）を介して嵌合部材（１２ｂ）が中心部に設けられており、嵌合部材が支柱（１１）の上端部に嵌められるようになっている。これによりサイン部材（１２）が広告部の上部に位置するとともに、支柱（１１）の回転に伴ってサイン部材（１２）も水平方向に回転することができる。なお、サイン部材（１２）は、必ずしも回転する必要はないので、ベアリングなどを介して支柱（１１）の回転の影響を受けずに常に固定されるものであってもよい。
【００２１】
前記回転体（１３）は、直径３５６ｍｍ、高さ３２ｍｍのスチール製の円盤状に形成されており、支柱（１１）に沿って７０ｍｍの間隔を開けながら５段階に水平に設けられ、各回転体（１３）の中心を支柱（１１）が貫通する態様で固定されている。また、各回転体（１３）の周面には、それぞれ２０個のフック部材（１４）が一定間隔ごとに周方向に沿って設けられており、広告具（１）全体で合計１００個のフック部材（１４）にそれぞれ複数枚の広告カード（２０）が掛けられるようになっている。
【００２２】
これにより支柱（１１）が自軸回転すると、回転体（１３）も水平方向に回転し、それに伴ってフック部材（１４）に掛けられた広告カード（２０）を閲覧可能な状態で水平方向に回転することができる。なお、本実施形態では、各回転体（１３）はすべて一体的に水平方向に回転するものとしたが、各回転体（１３）はそれぞれ別個に水平に回転するように構成してもよい。
【００２３】
前記広告カード（２０）は、横５５ｍｍ、縦８５ｍｍに形成され、「ＭＵＳＥＵＭ」「ＣＩＮＥＭＡ」「ＪＥＷＥＬＲＹ ＳＨＯＰ」等のようにカテゴリごとに分けられ、表面および裏面にカテゴリに対応する観光情報が表示されている。
【００２４】
例えば、図３に示すように、表面において、上端部にメインカラー、中央部にメインビジュアルとなる図や写真、メインビジュアルの上部に「ＭＵＳＥＵＭ」等のカテゴリー、メインビジュアルの下部に「○○美術館」等のロゴ、ロゴの下部にインフォメーション情報が表示されている。また、図４に示すように、裏面において、上端部にメインカラー、中央部に地図やサブビジュアル、地図等の下部に交通アクセス、交通アクセスの下部にディスカウント情報、ディスカウント情報の上部および下部に詳細情報やロゴがそれぞれ表示されている。
【００２５】
また、広告カード（２０）の上部位置には孔が形成されており、該孔に前記フック部材（１４）を通すことにより、同種の複数の広告カード（２０）を一つフック部材（１４）に掛けるようになっている。なお、本実施形態では、上記の各種観光情報をすべて含むものとしたが、それらの一部の観光情報のみであってもよいし、あるいはそれら以上の観光情報を付加してもよい。
【００２６】
このように各種施設の観光情報が広告カード（２０）にそれぞれコンパクトに表示され、それら広告カード（２０）が回転体（１３）に掛けられるとともに、閲覧可能な状態で水平方向に回転し得るようになっている。
【００２７】
したがって、旅行者は、回転体（１３）を水平方向に回転させながら各広告カード（２０）を閲覧し、興味がある広告カード（２０）をフック部材（１４）から取り外すことができる。しかも、その広告カード（２０）は、各カテゴリごとに観光情報が一目で閲覧できて見やすい上に、持ち帰ったり、あるいは携帯しやすいものとなっている。このため、旅行者に対して各種施設の多くの観光情報を効率的に紹介することができ、ひいては観光地の活性化に供することが可能となる。
【００２８】
なお、本実施形態では、フック部材（１４）を合計１００個設けるものとしたが、それ以外の個数であってもよい。
【００２９】
また、告具本体は、底面にキャスターが設けられたベース部材の上面に設けられているものであってもよい。これによれば、広告カードが人の目の高さに位置するので、広告具を何らかの台の上に載置する必要がなくなり便利である。
【００３０】
また、広告具本体（１０）は、上述の形状や大きさに限定されるものではなく、その他の形状や大きであってもよい。
【００３１】
また、広告カード（２０）は、通常の紙媒体からなるものとしたが、ＱＲコード、チケット、音楽配信カード、あるいはＩＣカードなどであってもよい。この場合、観光情報を表示したものではなく、その他の情報を表示あるいは記録したものであってもよい。
【図面の簡単な説明】
【００３２】
【図１】本実施形態に係る広告具の斜視図である。
【図２】図１の広告具の分解した状態の側面図である。
【図３】広告カードの表面図である。
【図４】広告カードの裏面図である。
【符号の説明】
【００３３】
１・・・広告具
１０・・・広告具本体
１１・・・支柱
１２・・・サイン部材
１３・・・回転体
１４・・・フック部材
２０・・・広告カード
【図１】
2008089650.tif 000003
【図２】
2008089650.tif 000004
【図３】
2008089650.tif 000005
【図４】
2008089650.tif 000006